(57)【特許請求の範囲】
【請求項１】
映像音声信号を一時的に記録してから再生するタイムシフト再生を行う情報受信記録再生装置であって、
前記タイムシフト再生の動作を行うための前記映像音声信号を記録する、ランダムアクセスが可能な第１の記録手段および前記第１記録手段より高速なランダムアクセスが可能な第２の記録手段と、
前記映像音声信号をリアルタイム伝送するリアルタイム伝送手段と、
前記第１記録手段からの出力と、前記第２記録手段からの出力と、前記リアルタイム伝送手段からの出力を切り換えて出力する切換手段とを少なくとも備えたことを特徴とする情報受信記録再生装置。
【請求項２】
前記切換手段は、前記映像音声信号のモニタ状態に基づき切り換え動作を行うことを特徴とする請求項１に記載の情報受信記録再生装置。
【請求項３】
前記第２の記録手段からの出力は、
前記第１の記録手段からの出力と、前記リアルタイム伝送手段からの出力との出力切り換えの間に少なくとも用いられることを特徴とする請求項１または２に記載の情報受信記録再生装置。
【請求項４】
前記映像音声信号としてアナログ信号の入力を受け、
前記アナログ信号をデジタル符号化して符号化データとする第１の符号化手段と、
前記符号化データを復号してデジタル信号を得るとともに、該デジタル信号をアナログ信号に変換する第１の復号化手段とをさらに備え、
前記第１の記録手段および／または前記第２の記録手段は、前記符号化データおよび／または前記デジタル信号の形で前記映像音声信号の記録再生を行うことを特徴とする請求項１ないし３のいずれかに記載の情報受信記録再生装置。
【請求項５】
前記映像音声信号としてデジタル符号化された符号化データを受け、
前記符号化データを復号してデジタル信号を得るとともに、さらにアナログ信号に変換する第２の復号化手段をさらに備え、
前記第１の記録手段および／または前記第２の記録手段は、前記符号化データおよび／または前記デジタル信号の形での形で前記映像音声信号の記録再生を行うことを特徴とする請求項１ないし３のいずれかに記載の情報受信記録再生装置。
【請求項６】
前記映像音声信号の再生状態に基づき、前記映像信号音声信号の全部または一部を特殊再生に用いるための特殊再生用信号として抽出する抽出手段をさらに備え、
前記第２の記録手段は、前記特殊再生用信号を記録再生することを特徴とする請求項４または５に記載の情報受信記録再生装置。
【請求項７】
前記抽出手段は、特殊再生の速度に応じて、前記特殊再生用信号の抽出時間の間隔を変化させることを有することを特徴とする請求項６に記載の情報受信記録再生装置。
【請求項８】
前記抽出手段は、前記特殊再生用信号を、少なくとも前記符号化データの形で抽出することを特徴とする請求項６または７に記載の情報受信記録再生装置。
【請求項９】
前記抽出手段は、前記特殊再生用信号を、少なくとも前記符号化データが符号化される前のデジタル信号の形で抽出することを特徴とする請求項６ないし８のいずれかに記載の情報受信記録再生装置。
【請求項１０】
前記第２の記録手段は、前記映像音声信号の再生状態に基づき、前記特殊再生用信号である符号化データおよび符号化される前のデジタルデータの再生順番を変化させることを特徴とする請求項９に記載の情報受信記録再生装置。
【発明の詳細な説明】
【０００１】
【発明の属する技術分野】
本発明は、ランダムアクセス可能なディスク記録媒体を使用してタイムシフト再生を実現する情報受信記録再生装置に関するものであり、順方向高速再生や逆方向高速再生の特殊再生を実行する際、特に入力映像音声信号のリアルタイムで再生する状態から特殊再生、および特殊再生から入力映像音声信号のリアルタイムで再生する状態に変更するときに、スムーズな再生状態の切換を実現する特徴を有するものである。
【０００２】
【従来の技術】
従来、ランダムアクセス可能なディスク記録媒体を使用してタイムシフト再生を実現する情報受信記録再生装置としては、特開平７−３０８５１号公報に記載されたもののように、テレビ番組をリアルタイムに記録し、任意の時間に再生する方法、及び装置が知られている。
【０００３】
以下、従来の技術による情報受信記録再生装置の構成および動作について、図１９を参照しながら説明する。
【０００４】
図に示すように、従来の技術による情報受信記録再生装置は、テレビ放送等のアナログ入力映像信号を一時的に記録してから再生するタイムシフト手段１９００と、タイムシフト手段１９００から出力される映像信号と、リアルタイムで伝送されてくる映像信号との入力を受けつけて、一方を選択的に出力する切換部１９０８と、切換部１９０８から出力された映像信号を表示する表示部とから構成されている。
【０００５】
次に、タイムシフト手段１９００における、入力された映像信号の処理は、以下のようなものである。すなわち、ＡＤ変換器１９０１は映像信号をデジタル変換し、圧縮処理部１９０３はデジタル変換された映像データを圧縮し、ランダムアクセス可能な記録媒体である記録装置１９０４に記録する。ここで、記録装置１９０４に記録された映像データは、任意の時間に読み出すことが可能である。
【０００６】
再生が所望される任意に設定可能な所定の時間に、記録装置１９０４に記録された映像データは、伸長処理部１９０５へと出力される。次いで映像データは、伸長処理部１９０５にて圧縮された状態から伸長され、ＤＡ変換器１９０７にてデジタル映像データをアナログ映像信号に変換され、切換部１９０８へと出力される。
【０００７】
【発明が解決しようとする課題】
ところで、タイムシフト再生手段１９００の一例である、ランダムアクセス可能な、磁気ディスク及び光磁気ディスク等の記録媒体を用いた装置では、再生の一時停止、順方向高速再生、順方向スロー再生、逆方向高速再生等の特殊再生が容易に実現可能である。
【０００８】
そのような記録媒体に記録されている映像音声データを再生する手段、すなわちタイムシフト再生手段１９００を常時使用して映像音声信号を視聴すると、通常再生から前記特殊再生へ再生状態を切換える際、もしくは、前記特殊再生から通常再生へ再生状態を切換える際には、スムーズに再生状態を切換えることが可能である。
【０００９】
しかし、元来リアルタイムで伝送される入力映像音声信号と、一旦記録媒体に記録したデータを再生するタイムシフト再生手段１９００から出力される映像音声信号との間には、タイムシフト再生手段１９００側での信号処理時間に起因するタイムラグが生ずるため、タイムシフト再生手段１９００の常時利用に際しては、スムーズな再生状態の切り換えが困難になる場合がある。
【００１０】
例えば、入力映像音声信号がテレビ放送である場合、視聴する（テレビ局の）チャンネルを切換えると、リアルタイムで伝送されてくる入力映像音声信号からタイムシフト手段１９００から出力される映像音声信号へ出力の切り換えが行なわれると、タイムシフト手段１９００から映像音声信号が出力されるまでには、切り換えられたチャンネルの信号を処理するだけの時間が必要とされる。この処理時間は前記タイムラグの時間となり、その間表示部１９０９にはブランク画面が表示されることとなり、結果、スムーズな入力映像音声信号の切換えは行われないことになってしまう。
【００１１】
切換部１９０８は、上述のような事態へ対応するもので、タイムシフト再生手段１９００と、入力映像音声信号をリアルタイムで再生する手段との２つの手段の再生状態を予め考慮して、タイムラグが生じるタイミングでリアルタイムで再生する手段からの信号の入力を受けつけるようにして、両者の信号を切り換えるようにしている。
【００１２】
しかしながら、通常再生から特殊再生への切換えが行われる場合、すなわち、入力映像音声信号をリアルタイムで再生する状態から、逆方向高速再生もしくは順方向低速再生する状態へと移行する場合、あるいは記録媒体からの順方向高速再生から、入力映像音声信号のリアルタイム再生へと切換えを行う場合には、上記の方法でも、前記タイムラグの影響を取り除くことはできず、スムーズな再生状態の切換えを実現することができない。
【００１３】
本発明は、上記のような課題に鑑みてなされたものであり、前記タイムラグの影響により、使用者に違和感を与えることのないスムーズな再生状態の切換え、入力映像音声信号の切換えができるようにした情報受信記録再生装置を提供することを目的とする。
【００１４】
【課題を解決するための手段】
上記の目的を達成するために、第１の本発明（請求項１に対応）は、映像音声信号を一時的に記録してから再生するタイムシフト再生を行う情報受信記録再生装置であって、
前記タイムシフト再生の動作を行うための前記映像音声信号を記録する、ランダムアクセスが可能な第１の記録手段および前記第１記録手段より高速なランダムアクセスが可能な第２の記録手段と、
前記映像音声信号をリアルタイム伝送するリアルタイム伝送手段と、
前記第１記録手段からの出力と、前記第２記録手段からの出力と、前記リアルタイム伝送手段からの出力を切り換えて出力する切換手段とを少なくとも備えたことを特徴とする情報受信記録再生装置である。
【００１５】
また、第２の本発明（請求項２に対応）は、前記切換手段は、前記映像音声信号のモニタ状態に基づき切り換え動作を行うことを特徴とする上記本発明である。
【００１６】
また、第３の本発明（請求項３に対応）は、前記第２の記録手段からの出力は、
前記第１の記録手段からの出力と、前記リアルタイム伝送手段からの出力との出力切り換えの間に少なくとも用いられることを特徴とする上記本発明である。
【００１７】
また、第４の本発明（請求項４に対応）は、前記映像音声信号としてアナログ信号の入力を受け、
前記アナログ信号をデジタル符号化して符号化データとする第１の符号化手段と、
前記符号化データを復号してデジタル信号を得るとともに、該デジタル信号をアナログ信号に変換する第１の復号化手段とをさらに備え、
前記第１の記録手段および／または前記第２の記録手段は、前記符号化データおよび／または前記デジタル信号の形で前記映像音声信号の記録再生を行うことを特徴とする上記本発明である。
【００１８】
また、第５の本発明（請求項５に対応）は、前記映像音声信号としてデジタル符号化された符号化データを受け、
前記符号化データを復号してデジタル信号を得るとともに、さらにアナログ信号に変換する第２の復号化手段をさらに備え、
前記第１の記録手段および／または前記第２の記録手段は、前記符号化データおよび／または前記デジタル信号の形での形で前記映像音声信号の記録再生を行うことを特徴とする上記本発明である。
【００１９】
また、第６の本発明（請求項６に対応）は、前記映像音声信号の再生状態に基づき、前記映像信号音声信号の全部または一部を特殊再生に用いるための特殊再生用信号として抽出する抽出手段をさらに備え、
前記第２の記録手段は、前記特殊再生用信号を記録再生することを特徴とする上記本発明である。
【００２０】
また、第７の本発明（請求項７に対応）は、前記抽出手段は、特殊再生の速度に応じて、前記特殊再生用信号の抽出時間の間隔を変化させることを有することを特徴とする上記本発明である。
【００２１】
また、第８の本発明（請求項８に対応）は、前記抽出手段は、前記特殊再生用信号を、少なくとも前記符号化データの形で抽出することを特徴とする上記本発明である。
【００２２】
また、第９の本発明（請求項９に対応）は、前記抽出手段は、前記特殊再生用信号を、少なくとも前記符号化データが符号化される前のデジタル信号の形で抽出することを特徴とする上記本発明である。
【００２３】
また、第１０の本発明（請求項１０に対応）は、前記第２の記録手段は、前記映像音声信号の再生状態に基づき、前記特殊再生用信号である符号化データおよび符号化される前のデジタルデータの再生順番を変化させることを特徴とする上記本発明である。
【００２４】
【発明の実施の形態】
（実施の形態１）
以下に、第１ないし第４の本発明の実施の形態について、図１、図２、図３、図４、及び図５を用いて説明する。
【００２５】
本実施の形態１における情報受信記録再生装置は、従来技術と異なり、入力された映像音声信号を再生するために、ランダムアクセス可能なディスク記録媒体に記録した後再生する手段と、高速アクセス可能な半導体記録媒体に記録した後再生する手段と、記録媒体に記録せずに再生する手段を準備し、再生状態に従いこれらの再生手段を切換えて再生するようにした情報受信記録再生装置に関するものである。
【００２６】
図１は本発明の一実施の形態によるアナログ映像音声信号入力時の情報受信記録再生装置のブロック図である。図１に示すように、１０１はＡＤＣ（アナログ−デジタル変換器）、１０２は符号化部、１０３はディスク記録媒体部、１０４は記録制御部、１０５は半導体記録媒体部、１０６は復号化データ切換部、１０７は切換制御部、１０８は復号化部、１０９はＤＡＣ（デジタル−アナログ変換器）、１１０はユーザーインターフェイス部、１１１は出力切換部、１１２はリアルタイム伝送路である。
【００２７】
以上のような構成を有する、本実施の形態による情報受信記録再生装置の動作を次に説明する。入力されたアナログ映像音声信号は、ＡＤ変換部１０１でデジタル映像音声データに変換される。デジタル化された映像音声データは、符号化部１０２で符号化され、符号化されたデータは、ディスク記録媒体部１０３、及び半導体記録媒体部１０５にて記録される。このとき半導体記録媒体部１０５へのデータ記録は、記録制御部１０４からの制御により、随時最新データへ上書き記録が行われるエンドレス記録となっている。
【００２８】
次に、現在のアナログ映像音声信号の再生状態、及びユーザーインターフェイス部１１０より通知される使用者からの再生状態変更命令等の指示に従い、切換制御部１０７は、符号化データ切換部１０６と出力切換部１１１の制御を実行する。
【００２９】
切換制御部１０７にて、ディスク記録媒体部１０３、もしくは半導体記録媒体部１０５からのデータを再生すると指定された場合には、１０３または１０５の記録媒体部より読み出された符号化データは、復号化部１０８に送られ復号化され、さらに復号化されたデジタルデータはＤＡ変換部１０９によりアナログデータに変換され、アナログ映像音声信号として出力される。
【００３０】
切換制御部１０７にて、アナログ映像音声信号をリアルタイムで出力すると指定された場合には、入力されたアナログ映像音声信号は、リアルタイム伝送路１１２を介してそのまま出力される。
【００３１】
次に、切換制御部１０７における再生状態と符号化データ切換部１０６、及び出力切換部１１１の制御状態の関連を示す図を図２に示す。
【００３２】
図２において、再生状態２０１は現在の映像音声信号の再生状態、もしくは、ユーザーインターフェイス部１１０より通知される使用者からの再生状態変更命令等による再生状態の移行を示したものである。
【００３３】
再生状態は、リアルタイム再生状態と記録データ再生状態の２つに大別され、リアルタイム再生状態とは、入力された映像音声信号をリアルタイム伝送路１１２を介してそのまま出力する状態であり、記録データ再生状態とは、記録媒体部１０３または１０５から読み出された映像音声データを再生して出力する状態のことを示す。特殊再生状態である順方向高速再生、逆方向高速再生、順方向低速再生等の状態はすべて記録データ再生状態に含まれる。
【００３４】
復号化データ切換部制御２０２は、再生状態２０１に伴う復号化データ切換部１０６への制御状態を示す。復号化データ切換部制御２０２での制御状態は、復号化の対象としてディスク記録媒体部１０３から読み出されるデータを利用する設定の制御と、復号化の対象として半導体記録媒体部１０５から読み出されるデータを利用する設定の制御と、これら２つの設定を切換える制御状態である。
【００３５】
出力切換部制御２０３は再生状態２０１に伴う出力切換部１１１への制御状態を示す。出力切換部制御２０３での制御状態は、入力された映像音声信号をリアルタイム伝送路１１２を介してそのままリアルタイムで出力する手段に設定する制御と、１０３または１０５の記録媒体部より読み出された映像音声データを再生して出力する手段に設定する制御と、これら２つの設定を切換える制御状態である。
【００３６】
次に、図２における再生状態２０１で、順方向高速再生時リアルタイム再生に追いついたことによる記録データ再生状態からリアルタイム再生状態への再生状態の移行時の処理を示すチャート図を図３に示す。
【００３７】
まず順方向高速再生はディスク記録媒体部１０３内に再生可能なデータが残っているまでディスク記録媒体部１０３内のデータを再生する（ステップ３０１，ステップ３０２）。ディスク記録媒体部１０３内に再生可能なデータがなくなったら、現在、記録と同時に再生を行っている状態かチェックする（ステップ３０２）。
【００３８】
記録と同時に再生を行っていない状態である場合は、以前保存記録されているデータを再生していたものであり、引き続き再生を実行することができないため再生を終了する。
【００３９】
記録と同時に再生を行っている状態である場合は、順方向高速再生によりリアルタイム再生状態に追いついた状態である。まず切換制御部１０７により、復号化データ切換部１０６の設定を復号化の対象としてディスク記録媒体部１０３からのデータを利用する設定から、復号化の対象として半導体記録媒体部１０５からのデータを利用する設定に切換える制御を行い（ステップ３０４）、半導体記録媒体部１０５内に再生可能なデータが残っているまで半導体記録媒体部１０５内のデータを再生する（ステップ３０５，ステップ３０７）。
【００４０】
半導体記録媒体部１０５内に再生可能なデータがなくなったら、次に切換制御部１０７により、出力切換部１１１の設定を記録媒体より読み出された映像音声データを再生して出力する手段への設定から、入力された映像音声信号を記録媒体に記録せずにリアルタイムで出力する手段への設定に切換える制御を行い、リアルタイム再生に切換える（ステップ３０６）。
【００４１】
次に、図２における再生状態２０１で、逆方向高速再生開始命令に伴うリアルタイム再生状態から記録データ再生状態への再生状態の移行時の処理を示すチャート図を図４に示す。
【００４２】
逆方向高速再生の開始が指示された場合、現在の再生状態がリアルタイム再生状態かどうかチェックする（ステップ４０１）。現在の再生状態がリアルタイム再生状態でない場合、既に復号化データ切換部１０６の設定は復号化の対象としてディスク記録媒体部１０３からのデータを利用する設定に、出力切換部１１１の設定は記録媒体より読み出された映像音声データを再生して出力する手段への設定に設定されているため、切換制御部１０７による切換制御を行わず、現在の設定のまま、ディスク記録媒体部１０３内のデータを再生する（ステップ４０７）。
【００４３】
現在の再生状態がリアルタイム再生状態の場合、まず切換制御部１０７により、出力切換部１１１の設定を、入力された映像音声信号を記録媒体に記録せずにリアルタイムで出力する手段への設定から、記録媒体部より読み出された映像音声データを再生して出力する手段への設定に切換える制御を行い、復号化データ切換部１０６の設定を復号化の対象として半導体記録媒体部１０５からのデータを利用する設定にする制御を行い、記録データ再生状態に切換える（ステップ４０２）。
【００４４】
次に、半導体記録媒体部１０５では、再生可能なデータが残っているまで該半導体記録媒体部１０５内のデータを再生する（ステップ４０４，ステップ４０６）。半導体記録媒体部１０５内に再生可能なデータがなくなったら、次に切換制御部１０７により、復号化データ切換部１０６の設定を、復号化の対象として半導体記録媒体部１０５からのデータを利用する設定から、復号化の対象としてディスク記録媒体部１０３からのデータを利用する設定に切換える制御を行い、ディスク記録媒体部１０３内のデータの再生を開始する（ステップ４０５）。これ以降は、上記に説明したステップ４０７およびステップ４０８の動作が行われる。
【００４５】
次に、図２における再生状態２０１で、順方向低速再生開始命令に伴うリアルタイム再生状態から記録データ再生状態への再生状態の移行時の処理を示すチャート図を図５に示す。
【００４６】
順方向低速再生の開始が指示された場合、現在の再生状態がリアルタイム再生状態かどうかチェックする（ステップ５０１）。現在の再生状態がリアルタイム再生状態でない場合、既に復号化データ切換部１０６の設定は、復号化の対象としてディスク記録媒体部１０３からのデータを利用する設定に、出力切換部１１１の設定は、記録媒体部より読み出された映像音声データを再生して出力する手段への設定に設定されているため、切換制御部１０７による切換制御を行わず、現在の設定のまま、ディスク記録媒体部１０３内のデータを再生する（ステップ５０８、５０９）。
【００４７】
現在の再生状態がリアルタイム再生状態の場合、まず記録制御部１０４により半導体記録媒体部１０５へのデータ書き込みを一時停止させる（ステップ５０２）。これは、通常、半導体記録媒体部１０５へは最新データへ随時上書き記録されており、低速再生のため再生させるべきデータを再生する前に最新データへ上書き記録されることを防止するためである。
【００４８】
続いて、切換制御部１０７により、出力切換部１１１の設定を、入力された映像音声信号を記録媒体部に記録せずにリアルタイムで出力する手段への設定から、記録媒体部より読み出された映像音声データを再生して出力する手段への設定に切換える制御を行い、復号化データ切換部１０６の設定を復号化の対象として半導体記録媒体部１０５からのデータを利用する設定にする制御を行い、記録データ再生状態に切換える（ステップ５０３）。
【００４９】
次に、半導体記録媒体部１０５内に再生可能なデータが残っているまで半導体記録媒体部１０５内のデータを再生する（ステップ５０５，５０７）。半導体記録媒体部１０５内に再生可能なデータがなくなったら、次に切換制御部１０７により、復号化データ切換部１０６の設定を、復号化の対象として半導体記録媒体部１０５からのデータを利用する設定から、復号化の対象としてディスク記録媒体部１０３からのデータを利用する設定に切換える制御を行い、ディスク記録媒体部１０５内のデータの再生を開始する（ステップ５０８，５０９）。
【００５０】
以上のように、本実施の形態によれば、入力されたアナログ映像音声信号を再生するために、ランダムアクセス可能なディスク記録媒体に記録した後再生する手段と、高速アクセス可能な半導体記録媒体に記録した後再生する手段と、記録媒体に記録せずに再生する手段を準備し、再生状態に従いこれらの再生手段を切換えて再生するようにしたことで、スムーズな再生状態の切換が可能な情報受信記録再生装置が実現できる。
【００５１】
（実施の形態２）
以下に、第５の本発明の実施の形態について、図６、図７、図８、図９及び図１０を用いて説明する。
【００５２】
本実施の形態２は、前記実施の形態１において、入力される映像音声信号としてアナログ映像音声信号を用いていたものの代わりに、デジタル符号化された映像音声信号を用いた場合の情報受信記録再生装置に関するものである。
【００５３】
図６は本発明の実施の形態２によるデジタル符号化映像音声信号入力時の情報受信記録再生装置のブロック図を示す。図６に示すように、６０１はディスク記録媒体部、６０２は記録制御部、６０３は半導体記録媒体部、６０４は復号化データ切換部、６０５は記録制御部、６０６は復号化部、６０７はＤＡＣ（デジタル−アナログ変換器）、６０８はユーザーインターフェイス部、６０９はリアルタイム伝送路である。
【００５４】
以上のような構成を有する、本実施の形態による情報受信記録再生装置の動作を次に説明する。入力されたデジタル符号化映像音声信号は、ディスク記録媒体部６０１、及び半導体記録媒体部６０３に送られ記録される。このとき半導体記録媒体部６０３へのデータ記録は、記録制御部６０２からの制御により、随時最新データへ上書き記録が行われるエンドレス記録となっている。
【００５５】
次に、現在の再生状態、及び、ユーザーインターフェイス部６０８より通知される使用者からの再生状態変更命令等の指示に従い、切換制御部６０５にて、符号化データ切換部６０４の制御を実行する。
【００５６】
切換制御部６０５は、ディスク記録媒体部６０１からのデータを再生するか、半導体記録媒体部６０３からのデータを再生するか、いずれの記録媒体部からのデータも使用せずにリアルタイム伝送路６０９を介して直接デジタル符号化映像音声信号信号を再生するかのいずれかを指定する。指定された経路のデータは、復号化部６０６に送られ復号化し、復号化されたデジタルデータをＤＡ変換部６０７によりアナログ信号に変換してから出力される。
【００５７】
次に、切換制御部６０５における再生状態と符号化データ切換部６０４の制御状態の関連を示す図を図７に示す。
【００５８】
図７において、再生状態７０１は前記図２における再生状態２０１の内容と同様であるので、その説明は省略する。復号化データ切換部制御７０２は再生状態７０１に伴う復号化データ切換部６０４への制御状態を示す。
【００５９】
復号化データ切換部制御７０２での制御状態は、復号化の対象としてディスク記録媒体部６０１からのデータを利用する設定の制御と、復号化の対象として半導体記録媒体部６０３からのデータを利用する設定の制御と、入力されたデジタル符号化映像音声データをリアルタイムで利用する設定と、これら３つの設定を切換える制御状態である。
【００６０】
図７における再生状態７０１で、順方向高速再生時リアルタイム再生に追いついたことによる記録データ再生状態からリアルタイム再生状態への再生状態の移行時の処理を示すチャート図を図８に示す。
【００６１】
まず順方向高速再生はディスク記録媒体部６０１内に再生可能なデータが残っているまでディスク記録媒体部６０１内のデータを再生する（ステップ８０１，ステップ８０３）。ディスク記録媒体部６０１内に再生可能なデータがなくなったら、現在、記録と同時に再生を行っている状態かチェックする（ステップ８０２）。記録と同時に再生を行っていない状態である場合は、以前保存記録されているデータを再生していたものであり、引き続き再生を実行することができないため再生を終了する。記録と同時に再生を行っている状態である場合は、順方向高速再生によりリアルタイム再生状態に追いついた状態である。
【００６２】
リアルタイム再生状態に追いついた状態では、まず切換制御部６０５により、符号化データ切換部６０４の設定を、復号化の対象としてディスク記録媒体部６０１からのデータを利用する設定から、復号化の対象として半導体記録媒体部６０３からのデータを利用する設定に切換える制御を行い（ステップ８０４）、半導体記録媒体部６０３内に再生可能なデータが残っているまで半導体記録媒体部６０３内のデータを再生する（ステップ８０５，ステップ８０７）。
【００６３】
半導体記録媒体部６０３内の再生可能なデータがなくなったら、次に切換制御部６０５により、符号化データ切換部６０４の設定を、復号化の対象として半導体記録媒体部６０３からのデータを利用する設定から、復号化の対象として入力されたデジタル符号化映像音声データをリアルタイムで利用する設定に切換える制御を行い、リアルタイム再生に切換える。
【００６４】
次に、図７における再生状態７０１で、逆方向高速再生開始命令に伴うリアルタイム再生状態から記録データ再生状態への再生状態の移行時の処理を示すチャート図を図９に示す。
【００６５】
逆方向高速再生の開始が指示された場合、現在の再生状態がリアルタイム再生状態かどうかチェックする（ステップ９０１）。現在の再生状態がリアルタイム再生状態でない場合、既に符号化データ切換部６０４の設定は、復号化の対象としてディスク記録媒体部６０１からのデータを利用する設定に設定されているため、切換制御部６０５による切換制御を行わず、現在の設定のまま、ディスク記録媒体部６０１内のデータを再生する（ステップ９０６，ステップ９０７）。
【００６６】
現在の再生状態がリアルタイム再生状態の場合、まず切換制御部６０５により、符号化データ切換部６０４の設定を、復号化の対象として入力されたデジタル符号化映像音声データをリアルタイムで利用する設定から、復号化の対象として半導体記録媒体部６０３からのデータを利用する設定にする制御を行い、記録データ再生状態に切換える（ステップ９０２）。半導体記録媒体部６０３内に再生可能なデータが残っているまで半導体記録媒体部６０３内のデータを再生する（ステップ９０３，ステップ９０５）。
【００６７】
半導体記録媒体部６０３内に再生可能なデータがなくなったら、次に切換制御部６０５により、符号化データ切換部６０４の設定を、復号化の対象として半導体記録媒体部６０３からのデータを利用する設定から、復号化の対象としてディスク記録媒体部６０１からのデータを利用する設定に切換える制御を行い（ステップ９０４）、ディスク記録媒体部６０１内のデータの再生を開始する。これ以降は、上記に説明したステップ９０６およびステップ９０７の動作が行われる。
【００６８】
次に、図７における再生状態７０１で、順方向低速再生開始命令に伴うリアルタイム再生状態から記録データ再生状態への再生状態の移行時の処理を示すチャート図を図１０に示す。
【００６９】
順方向低速再生の開始が指示された場合、現在の再生状態がリアルタイム再生状態かどうかチェックする（ステップ１００１）。現在の再生状態がリアルタイム再生状態でない場合、既に符号化データ切換部６０４の設定は、復号化の対象としてディスク記録媒体部６０１からのデータを利用する設定に設定されているため、切換制御部６０５による切換制御を行わず、現在の設定のまま、ディスク記録媒体部６０１内のデータを再生する（ステップ１００７、ステップ１００８）。
【００７０】
現在の再生状態がリアルタイム再生状態の場合、まず記録制御部６０２により半導体記録媒体部６０３へのデータ書き込みを一時停止させる（ステップ１００２）。これは、通常、半導体記録媒体部６０３へは最新データへ随時上書き記録されており、低速再生のため再生させるべきデータを再生する前に最新データへ上書き記録されることを防止するためである。
【００７１】
続いて、切換制御部６０５により、符号化データ切換部６０４の設定を、復号化の対象として入力されたデジタル符号化映像音声データをリアルタイムで利用する設定から、復号化の対象として半導体記録媒体部６０３からのデータを利用する設定にする制御を行い、記録データ再生状態に切換える（ステップ１００３）。半導体記録媒体部６０３内に再生可能なデータが残っているまで半導体記録媒体部６０３内のデータを再生する（ステップ１００４，ステップ１００６）。
【００７２】
半導体記録媒体部６０３内に再生可能なデータがなくなったら、次に切換制御部６０５により、符号化データ切換部６０４の設定を、復号化の対象として半導体記録媒体部６０３からのデータを利用する設定から、復号化の対象としてディスク記録媒体部６０１からのデータを利用する設定に切換える制御を行い（ステップ１００５）、ディスク記録媒体部内のデータの再生を開始する。
【００７３】
以上のように、本実施の形態によれば、入力されたデジタル符号化された映像音声信号を再生するために、ランダムアクセス可能なディスク記録媒体に記録した後再生する手段と、高速アクセス可能な半導体記録媒体に記録した後再生する手段と、記録媒体に記録せずに再生する手段を準備し、再生状態に従いこれらの再生手段を切換えて再生するようにしたことで、スムーズな再生状態の切換が可能な情報受信記録再生装置が実現できる。
【００７４】
（実施の形態３）
以下に、第６ないし第８の本発明の実施の形態について、図１、図２、及び図１１を用いて説明する。
【００７５】
本実施の形態３は、前記実施の形態１において、半導体記録媒体部へデータを記録する際、特殊再生時に使用するデータのみを抽出する手段を備え、その手段は符号化された後のデジタル符号化データを抽出し記録することにより、半導体記録媒体部を効率よく使用するようにした情報受信記録再生装置に関するものである。
【００７６】
本発明の実施の形態３によるアナログ映像音声信号入力時の情報受信記録再生装置の構成及び動作は、前記実施の形態１と同様であるので、図１を用いて、重複する説明は省略する。ただし、特殊再生時に使用するデータを抽出する抽出手段は、半導体記録媒体部６０３内に備えられているものとする。
【００７７】
また、本実施の形態の再生状態と符号化データ切換部１０６、及び出力切換部１１１の制御状態の関連に関し、その構成及び動作は、前記実施の形態１と同様であるので、図２を用いて、重複する説明は省略する。
【００７８】
次に、現在の再生状態と、記録制御部１０４における抽出する映像音声データとの関係を示す図を図１１に示す。
【００７９】
図１１において、再生状態１１０１は現在の再生状態を示す。図２より、現在の状態がリアルタイム再生状態から他の再生状態へ移行する際、半導体記録媒体部１０５からのデータを利用するのは、逆方向高速再生開始時と順方向低速再生開始時である。よって、再生状態１１０１がリアルタイム再生状態のときは、逆方向高速再生開始と順方向低速再生開始に備えて半導体記録媒体部１０５にデータを記録しておく必要があるので、抽出する映像音声データ１１０２は、すべての映像データを抽出する設定となる。
【００８０】
逆方向高速再生の場合には、間欠映像データであれば問題ないが、順方向低速再生の場合は、すべての映像データが必要であり、逆方向高速再生と順方向低速再生のどちらが指定されるか不明であるため、映像データを抽出する設定をする必要がある。また、一般に逆方向高速再生と順方向低速再生では、音声出力はされないので音声データは記録しない。
【００８１】
また、図２より、現在の状態が記録再生状態からリアルタイム再生状態へ移行する際、半導体記録媒体部１０５からのデータを利用するのは、順方向高速再生時にリアルタイム再生に追いついたときである。よって、再生状態１１０１が順方向高速再生状態のときは、リアルタイム再生状態へ移行するときに備えて半導体記録媒体部１０５にデータを記録しておく必要があるので、抽出する映像音声データ１１０２は、例えばフレーム単位で間欠的に抽出した映像データ、及び音声データを抽出する設定となる。
【００８２】
なお、順方向高速再生の再生速度により、再生に使用される映像データの間隔が変化するため、再生状態１１０１で順方向高速再生の再生速度がｍ（ｍはｎより速度の速い高速再生）の場合、抽出する映像音声データ１１０２は時間間隔大で抽出した映像データとなり、再生状態１１０１で順方向高速再生の再生速度がｎ（ｎはｍより速度の遅い高速再生）の場合、抽出する映像音声データ１１０２は時間間隔小で抽出した映像データとなる。
【００８３】
また、速度の遅い順方向高速再生は、間欠的な音声出力をするものもあるため、再生状態１１０１で順方向高速再生の再生速度がｎ（ｎはｍより速度の遅い高速再生）の場合、抽出する映像音声データ１１０２は時間間隔小で抽出した映像データと音声データにしてもよい。
【００８４】
以上のように、本実施の形態によれば、半導体記録媒体部へデータを記録する際、特殊再生時に使用するデータのみを抽出する手段を半導体記録媒体部内に備え、その手段は符号化された後のデジタル符号化データを抽出し記録することにより、半導体記録媒体を効率よく使用するようにした情報受信記録再生装置が実現できる。
【００８５】
なお、符号化された後のデジタルデータを抽出することより、長い時間分再生状態切換時に使用することができるという利便性がある。また、現在の再生状態に合わせて抽出するデータを変化させることによって、より半導体記録媒体を効率よく使用するようにした情報受信記録再生装置が実現できる。
（実施の形態４）
以下に、第６，第７および第９の本発明の実施の形態について、図１１、図１２、及び図１３を用いて説明する。
【００８６】
本実施の形態４は、前記実施の形態１において、半導体記録媒体へデータを記録する際、特殊再生時に使用するデータのみを抽出する手段を備え、その手段は符号化される前のデジタルデータを抽出し記録することにより、半導体記録媒体を効率よく使用するようにした情報受信記録再生装置に関するものである。
【００８７】
図１２は本発明の一実施の形態によるアナログ映像音声信号入力時、デジタルデータを半導体記録媒体に記録する際、特殊再生時に使用するデータのみを抽出する手段を半導体記録媒体部内に備え、その手段は符号化される前のデジタルデータを抽出する手段である情報受信記録再生装置のブロック図を示す。図１２に示すように、１２０１はＡＤＣ（アナログ−デジタル変換器）、１２０２は符号化部、１２０３はディスク記録媒体部、１２０４は復号化部、１２０５は記録制御部、１２０６は半導体記録媒体部、１２０７は出力データ切換部、１２０８はＤＡＣ（デジタル−アナログ変換器）、１２０９は切換制御部、１２１０はユーザーインターフェイス部、１２１１は出力切換部、１２１２はリアルタイム伝送路である。ここで特殊再生時に使用するデータを抽出する抽出手段は、半導体記録媒体部１２０６内に備えられているものとする。
【００８８】
以上のような構成を有する、本実施の形態による情報受信記録再生装置の動作を次に説明する。入力されたアナログ映像音声信号は、ＡＤ変換部１２０１でデジタル映像音声データに変換される。デジタル化された映像音声データは、符号化部１２０２で符号化され、符号化されたデータをディスク記録媒体部１２０３にて記録される。また、ＡＤ変換部１２０１でデジタル化された映像音声データは、記録制御部１２０５で現在の再生状態に応じた映像音声データとして抽出され、半導体記録媒体部１２０６へ記録される。このとき半導体記録媒体部１２０６へのデータ記録は、記録制御部１２０５からの制御により、随時最新データへ上書き記録が行われるエンドレス記録となっている。
【００８９】
次に、現在の再生状態、及び、ユーザーインターフェイス部１２１０より通知される使用者からの再生状態変更命令等の指示に従い、切換制御部１２０９にて、出力デジタルデータ切換部１２０７と出力切換部１２１１の制御を実行する。
【００９０】
切換制御部１２０９にて、ディスク記録媒体部１２０３からのデータを再生すると指定された場合には、ディスク記録媒体部１２０３より読み出された符号化データを復号化部１２０４に送り復号化し、復号化されたデジタルデータをＤＡ変換部１２０８によりアナログデータに変換してから出力する。
【００９１】
切換制御部１２０９にて、半導体記録媒体部１２０６からのデータを再生すると指定された場合には、半導体記録媒体部１２０６より読み出されたデジタルデータをＤＡ変換部１２０８によりアナログデータに変換してから出力する。また、切換制御部１２０９にてアナログ映像音声信号をリアルタイムで出力すると指定された場合には、入力されたアナログ映像音声信号をリアルタイム伝送路１２１２を介してそのまま出力する。
【００９２】
次に、図１１は現在の再生状態と記録制御部１２０５における、抽出の対象となる映像音声データの関係を示す図であり、その内容は前記実施の形態３と同様であるので、その説明は省略する。
【００９３】
次に、切換制御部１２０９における再生状態と、出力デジタルデータ切換部１２０７、及び出力切換部１２１１の制御状態との関連を示す図を図１３に示す。ただし、図１３において、再生状態１３０１と出力切換部制御１３０３の内容は、前記実施の形態１における図２の再生状態２０１と出力切換部制御２０３と同様であるため、その説明は省略する。
【００９４】
出力デジタルデータ切換部制御１３０２は再生状態１３０１に伴う出力デジタルデータ切換部１２０７への制御状態を示す。出力デジタルデータ切換部制御１３０２での制御状態は、半導体記録媒体部１２０６からの符号化されていないデジタルデータを利用する設定の制御と、ディスク記録媒体部１２０３からのデジタル符号化データを複合化した後のデジタルデータを利用する設定の制御と、これら２つの設定を切換える制御状態である。
【００９５】
このような構成によって、半導体記録媒体へデータを記録する際、特殊再生時に使用するデータのみを抽出する手段を半導体記録媒体部内に備え、その手段は符号化される前のデジタルデータを抽出し記録することにより、半導体記録媒体を効率よく使用するようにした情報受信記録再生装置が実現できる。
【００９６】
なお、符号化される前のデジタルデータを抽出することより、よりリアルタイム再生に近い映像音声データを再生状態切換時に使用することができるという利便性がある。また、現在の再生状態に合わせて抽出するデータを変化させることによって、より半導体記録媒体を効率よく使用するようにした情報受信記録再生装置が実現できる。
【００９７】
（実施の形態５）
以下に、第９および第１０の本発明の実施の形態について、図１１、図１４、図１５、図１６、図１７、及び図１８を用いて説明する。
【００９８】
本実施の形態５は、前記実施の形態１において、半導体記録媒体へデータを記録する際、特殊再生時に使用するデータのみを抽出する手段を備え、その手段は符号化された後のデジタル符号化データを抽出する手段と、符号化される前のデジタルデータを抽出する手段の両方であり、抽出したデータを記録することにより、半導体記録媒体を効率よく使用するようにした情報受信記録再生装置に関するものである。
【００９９】
図１４は本発明の一実施の形態によるアナログ映像音声信号入力時、デジタルデータを半導体記録媒体部１４０５に記録する際、特殊再生時に使用するデータのみを抽出する手段を半導体記録媒体部内に備え、その手段は符号化された後のデジタル符号化データを抽出する手段と、符号化される前のデジタルデータを抽出する手段の両方である情報受信記録再生装置のブロック図を示す。図１４に示すように、１４０１はＡＤＣ（アナログ−デジタル変換器）、１４０２は符号化部、１４０３はディスク記録媒体部、１４０４は記録制御部、１４０５は半導体記録媒体部、１４０６は復号化データ切換部、１４０７は復号化部、１４０８は出力デジタルデータ切換部、１４０９はＤＡＣ（デジタル−アナログ変換器）、１４１０はユーザーインターフェイス部、１４１１は切換制御部、１４１２は出力切換部、１４１３はリアルタイム伝送路である。ここで特殊再生時に使用するデータを抽出する抽出手段は、半導体記録媒体部１４０５内に備えられているものとする。
【０１００】
以上のような構成を有する、本実施の形態による情報受信記録再生装置の動作を次に説明する。図１４において、入力されたアナログ映像音声信号は、ＡＤ変換部１４０１でデジタル映像音声データに変換される。デジタル化された映像音声データを符号化部１４０２で符号化し、符号化されたデータは、ディスク記録媒体部１４０３に記録されるとともに、記録制御部１４０４により、該符号化されたデータから現在の再生状態に応じた映像音声データが抽出され、半導体記録媒体部１４０５に記録される。
【０１０１】
また、ＡＤ変換部１４０１でデジタル化された映像音声データからは、記録制御部１４０４により現在の再生状態に応じた映像音声データが抽出され、半導体記録媒体部１４０５へ記録される。
【０１０２】
なお上記の動作において、半導体記録媒体部１４０５へのデータ記録は、記録制御部１４０４からの制御により、随時最新データへと上書き記録が行われるエンドレス記録となっている。
【０１０３】
次に、現在のアナログ映像音声信号の再生状態、及び、ユーザーインターフェイス部１４１０より通知される使用者からの再生状態変更命令等の指示に従い、切換制御部１４１１にて、復号化データ切換部１４０６と出力デジタルデータ切換部１４０８と出力切換部１４１２の制御を実行する。
【０１０４】
切換制御部１４１１にて、ディスク記録媒体部１４０３からのデータを再生すると指定された場合には、ディスク記録媒体部１４０３より読み出された符号化データは復号化部１４０７にて復号され、さらに復号化されたデジタルデータは、ＤＡ変換部１４０９によりアナログデータに変換され、アナログ映像音声信号として出力される。
【０１０５】
切換制御部１４１１にて半導体記録媒体部１４０５からのデータを再生すると指定された場合には、現在の再生状態に従い、半導体記録媒体部１４０５内のデータが読み出される。このとき、半導体記録媒体部１４０５より読み出されるデータが符号化されたデジタル符号化データの場合は、符号化部１４０７に送り復号化し、復号化されたデジタルデータをＤＡ変換部１４０９によりアナログデータに変換してから出力する。また、半導体記録媒体部１４０５より読み出されるデータが符号化されていないデジタルデータの場合は、読み出されたデジタルデータをＤＡ変換部１４０９によりアナログデータに変換してから出力する。
【０１０６】
一方、切換制御部１４１１にてアナログ映像音声信号をリアルタイムで出力すると指定された場合には、入力されたアナログ映像音声信号をリアルタイム伝送路１４１３を介してそのまま出力する。
【０１０７】
図１１は現在の再生状態と記録制御部１４０４における抽出する映像音声データの関係を示す図であり、その内容は前記実施の形態３と同様であるので、その説明は省略する。
【０１０８】
次に再生状態と復号化データ切換部１４０６、出力デジタルデータ切換部１４０８、及び出力切換部１４１２の制御状態の関連を示す図を図１５に示す。
【０１０９】
図１５において、再生状態１５０１と復号化データ切換部制御１５０２及び出力切換部制御１５０４の内容は、前記実施の形態１における図２の再生状態２０１と復号化データ切換部制御２０２及び出力切換部制御２０３と同様であるため、その説明は省略する。出力デジタルデータ切換部制御１５０２は再生状態１５０１に伴う出力デジタルデータ切換部１４０８への制御状態を示す。
【０１１０】
出力デジタルデータ切換部制御１５０２での制御状態は、半導体記録媒体部１４０５からの符号化されていないデジタルデータを利用する設定の制御と、ディスク記録媒体部１４０３もしくは半導体記録媒体部１４０５からのデジタル符号化データを複合化した後のデジタルデータを利用する設定の制御と、これら２つの設定を切換える制御状態である。
【０１１１】
次いで、図１５における再生状態１５０１で、順方向高速再生時リアルタイム再生に追いついたことによる記録データ再生状態からリアルタイム再生状態への再生状態の移行時の処理を示すチャート図を図１６に示す。
【０１１２】
まず順方向高速再生はディスク記録媒体部１４０３内に再生可能なデータが残っているまでディスク記録媒体部１４０３内のデータを再生する（ステップ１６０１、ステップ１６０３）。ディスク記録媒体部１４０３内に再生可能なデータがなくなったら、現在、記録と同時に再生を行っている状態かチェックする（ステップ１６０２）。記録と同時に再生を行っていない状態である場合は、以前保存記録されているデータを再生していたものであり、引き続き再生を実行することができないため再生を終了する。
【０１１３】
記録と同時に再生を行っている状態である場合は、順方向高速再生によりリアルタイム再生状態に追いついた状態である。まず切換制御部１４１１により、復号化データ切換部１４０６の設定を、復号化の対象としてディスク記録媒体部１４０３からのデータを利用する設定から、復号化の対象として半導体記録媒体部１４０５からのデータを利用する設定に切換える制御を行い（ステップ１６０４）、半導体記録媒体部１４０５内に再生可能なデジタル符号化データが残っているまで半導体記録媒体部１４０５内のデジタル符号化データを再生する（ステップ１６０５、ステップ１６０７）。
【０１１４】
半導体記録媒体部１４０５内に再生可能なデジタル符号化データがなくなったら、次に切換制御部１４１１により、出力デジタルデータ切換部１４０８の設定を、半導体記録媒体部１４０５からの符号化されていないデジタルデータを利用する設定に切換える制御を行い（ステップ１６０６）、半導体記録媒体部１４０５内に再生可能な符号化されていないデジタルデータが残っているまで半導体記録媒体部１４０５内の符号化されていないデジタルデータを再生する（ステップ１６０８、ステップ１６１０）。
【０１１５】
半導体記録媒体部１４０５内に再生可能な符号化されていないデジタルデータがなくなったら、切換制御部１４１１により、出力切換部１４１２の設定を記録媒体より読み出された映像音声データを再生して出力する手段への設定から、入力された映像音声信号を記録媒体に記録せずにリアルタイムで出力する手段への設定に切換える制御を行い、リアルタイム再生に切換える（ステップ１６０９）。
【０１１６】
次に、図１５における再生状態１５０１で、逆方向高速再生開始命令に伴うリアルタイム再生状態から記録データ再生状態への再生状態の移行時の処理を示すチャート図を図１７に示す。
【０１１７】
逆方向高速再生の開始が指示された場合、現在の再生状態がリアルタイム再生状態かどうかチェックする（ステップ１７０１）。現在の再生状態がリアルタイム再生状態でない場合、既に復号化データ切換部１４０６の設定は、復号化の対象としてディスク記録媒体部１４０３からのデータを利用する設定に、出力デジタルデータ切換部１４０８の設定は、半導体記録媒体部１４０５もしくはディスク記録媒体部１４０３からのデジタル符号化データを復号化後のデジタルデータを利用する設定に、出力切換部１４１２の設定は、記録媒体より読み出された映像音声データを再生して出力する手段への設定にそれぞれ設定されているため、切換制御部１４１１による切換制御を行わず、現在の設定のまま、ディスク記録媒体部１４０３内のデータを再生する（ステップ１７１２，ステップ１７１３）。
【０１１８】
現在の再生状態がリアルタイム再生状態の場合、まず切換制御部１４１１により、出力切換部１４１２の設定を、入力された映像音声信号を記録媒体部に記録せずにリアルタイムで出力する手段への設定から、記録媒体部より読み出された映像音声データを再生して出力する手段への設定に切換える制御を行い（ステップ１７０３）、出力デジタルデータ切換部１４０８の設定を、半導体記録媒体部１４０５からの符号化されていないデジタルデータを利用する設定にする制御を行い、記録データ再生状態に切換え（同じくステップ１７０３）、半導体記録媒体部１４０５内に再生可能な符号化されていないデジタルデータが残っているまで半導体記録媒体部１４０５内の符号化されていないデジタルデータを再生する（ステップ１７０４，ステップ１７０６）。
【０１１９】
次に半導体記録媒体部１４０５内に再生可能な符号化されていないデジタルデータがなくなったら、切換制御部１４１１により、出力デジタルデータ切換部１４０８の設定を、半導体記録媒体部１４０５もしくはディスク記録媒体部１４０３６からのデジタル符号化データを復号化後のデジタルデータを利用する設定にする制御を行い（ステップ１７０７）、復号化データ切換部１４０６の設定を、復号化の対象として半導体記録媒体部１４０５からのデータを利用する設定にする制御を行い、半導体記録媒体部１４０５内に再生可能なデジタル符号化データが残っているまで半導体記録媒体部１４０５内のデータを再生する（ステップ１７０８，ステップ１７１０）。
【０１２０】
半導体記録媒体部１４０５内に再生可能なデジタル符号化データがなくなったら、次に切換制御部１４１１により、復号化データ切換部１４０６の設定を、復号化の対象として半導体記録媒体部１４０５からのデータを利用する設定から、復号化の対象としてディスク記録媒体部１４０３からのデータを利用する設定に切換える制御を行い（ステップ１７０９）、ディスク記録媒体部１４０３内のデータの再生を開始する（ステップ１７１１，ステップ１７１２）。
【０１２１】
次に、図１５における再生状態１５０１で、順方向低速再生開始命令に伴うリアルタイム再生状態から記録データ再生状態への再生状態の移行時の処理を示すチャート図を図１８に示す。
【０１２２】
順方向低速再生の開始が指示された場合、現在の再生状態がリアルタイム再生状態かどうかチェックする（ステップ１８０１）。現在の再生状態がリアルタイム再生状態でない場合、既に復号化データ切換部１４０６の設定は、復号化の対象としてディスク記録媒体部１４０３からのデータを利用する設定に、出力デジタルデータ切換部１４０８の設定は半導体記録媒体部１４０５もしくはディスク記録媒体部１４０３からのデジタル符号化データを、復号化後のデジタルデータに切り換えて利用する設定に、出力切換部１４１２の設定は記録媒体より読み出された映像音声データを再生して出力する手段への設定に設定されているため、切換制御部１４１１による切換制御を行わず、現在の設定のまま、ディスク記録媒体部１４０３内のデータを再生する（ステップ１８１２、ステップ１８１３）。
【０１２３】
現在の再生状態がリアルタイム再生状態の場合、まず記録制御部１４０４により半導体記録媒体部１４０５へのデータ書き込みを一時停止させる（ステップ１８０２）。これは、通常、半導体記録媒体部１４０５へは最新データへ随時上書き記録されており、低速再生のため再生させるべきデータを再生する前に最新データへ上書き記録されることを防止するためである。
【０１２４】
切換制御部１４１１により、出力切換部１４１２の設定を入力された映像音声信号を記録媒体に記録せずにリアルタイムで出力する手段への設定から、記録媒体より読み出された映像音声データを再生して出力する手段への設定に切換える制御を行い（ステップ１８０３）、出力デジタルデータ切換部１４０８の設定を半導体記録媒体部１４０５からの符号化されていないデジタルデータを利用する設定にする制御を行い、記録データ再生状態に切換え（ステップ１８０４）、半導体記録媒体部１４０５内に再生可能な符号化されていないデジタルデータが残っているまで半導体記録媒体部１４０５内の符号化されていないデジタルデータを再生する（ステップ１８０５，ステップ１８０７）。
【０１２５】
次に半導体記録媒体部１４０５内に再生可能な符号化されていないデジタルデータがなくなったら、切換制御部１４１１により、出力デジタルデータ切換部１４０８の設定を半導体記録媒体部１４０５もしくはディスク記録媒体部１４０３６からのデジタル符号化データを復号化後のデジタルデータを利用する設定にする制御を行い（ステップ１８０６）、復号化データ切換部１４０６の設定を復号化の対象として半導体記録媒体部１４０５からのデータを利用する設定にする制御を行い（ステップ１８０８）、半導体記録媒体部１４０５内に再生可能なデジタル符号化データが残っているまで半導体記録媒体部１４０５内のデータを再生する（ステップ１８０９，ステップ１８１１）。
【０１２６】
半導体記録媒体部１４０５内に再生可能なデジタル符号化データがなくなったら、次に切換制御部１４１１により、復号化データ切換部１４０６の設定を、復号化の対象として半導体記録媒体部１４０５からのデータを利用する設定から、復号化の対象としてディスク記録媒体部１４０３からのデータを利用する設定に切換える制御を行い（ステップ１８１０）、ディスク記録媒体部１４０３内のデータの再生を開始する（ステップ１８１２，ステップ１８１３）。
【０１２７】
以上のように、本実施の形態によれば、半導体記録媒体へデータを記録する際、特殊再生時に使用するデータのみを抽出する手段を半導体記録媒体部内に備え、その手段は符号化された後のデジタル符号化データを抽出する手段と、符号化される前のデジタルデータを抽出する手段の両方であり、抽出したデータを記録することにより、半導体記録媒体を効率よく使用するようにした情報受信記録再生装置が実現できる。
【０１２８】
なお、符号化される前のデジタルデータを抽出することより、よりリアルタイム再生に近い映像音声データを再生状態切換時に使用することができ、符号化された後のデジタルデータを抽出することより、長い時間分の映像音声データを再生状態切換時に使用することができるといる両方の利便性をもち、再生状態により双方の特徴を生かすデータの使用を行うことで、よりスムーズな再生状態の切換が可能な情報受信記録再生装置が実現できる。
【０１２９】
また、現在の再生状態に合わせて抽出するデータを変化させることによって、より半導体記録媒体を効率よく使用するようにした情報受信記録再生装置が実現できる。
【０１３０】
以上のように、本発明の実施の形態１によれば、ランダムアクセス可能なディスク記録媒体にデジタル映像もしくはデジタル音声の少なくとも一方を記録再生する情報受信記録再生装置において、入力されたアナログ映像音声信号、もしくはデジタル映像音声信号を再生するために、ランダムアクセス可能なディスク記録媒体に記録した後再生する手段と、高速アクセス可能な半導体記録媒体に記録した後再生する手段と、記録媒体に記録せずに再生する手段を準備し、再生状態に従いこれらの再生手段を切換えて再生するようにしたことで、スムーズな再生状態の切換ができるという有利な効果が得られる。
【０１３１】
また、本発明の実施の形態２によれば、前記ランダムアクセス可能なディスク記録媒体にデジタル映像もしくはデジタル音声の少なくとも一方を記録再生する情報受信記録再生装置において、デジタルデータを前記半導体記録媒体に記録する手段は、現在の再生状態に従い、特殊再生時に使用するデジタルデータのみを抽出する手段を備え、特殊再生時に使用するデジタルデータのみを前記半導体記録媒体に記録することにより、半導体記録媒体を効率よく利用できるという有利な効果が得られる。
【０１３２】
また、本発明の実施の形態３によれば、前記ランダムアクセス可能なディスク記録媒体にデジタル映像もしくはデジタル音声の少なくとも一方を記録再生する情報受信記録再生装置において、特殊再生時に使用するデータのみを抽出する手段は符号化された後のデジタル符号化データを抽出する手段であるため、より半導体記録媒体を効率よく利用できるという有利な効果が得られる。
【０１３３】
また、本発明の実施の形態４によれば、前記ランダムアクセス可能なディスク記録媒体にデジタル映像もしくはデジタル音声の少なくとも一方を記録再生する情報受信記録再生装置において、特殊再生時に使用するデータのみを抽出する手段は符号化される前のデジタルデータを抽出する手段であるため、よりリアルタイム再生に近い映像音声データを再生状態切換時に使用できるという有利な効果が得られる。
【０１３４】
また、本発明の実施の形態５によれば、前記ランダムアクセス可能なディスク記録媒体にデジタル映像もしくはデジタル音声の少なくとも一方を記録再生する情報受信記録再生装置において、半導体記録媒体部内に記録されている符号化されていないデジタルデータと符号化された後のデジタル符号化データを再生に使用するデータの順番は現在の再生状態によって変化させる機能を有することによって、再生状態により、符号化されていないデジタルデータと符号化された後のデジタル符号化データ双方の特徴を生かすデータの使用を行うことで、よりスムーズな再生状態の切換ができるという有利な効果が得られる。
れる。
【０１３５】
なお、上記の各実施の形態において、ディスク媒体記録部は本発明の第１の記録手段に相当し、記録制御部および半導体記録媒体部は本発明の第２の記録手段に相当し、復号化データ切換部，切換制御部，ユーザーインターフェイス部、出力デジタルデータ切換部および出力変換部は本発明の切換手段に相当し、ＡＤＣおよび符号化部は本発明の第１の符号化手段に相当し、復号化部およびＤＡＣは本発明の第１の復号化手段に相当し、リアルタイム伝送路は本発明のリアルタイム伝送手段に相当するものである。ただし、実施の形態２における復号化部６０６およびＤＡＣ６０７は本発明の第２の復号化手段に相当するものである。
【０１３６】
【発明の効果】
以上説明したところから明らかなように、本発明によれば、通常再生から特殊再生、または特殊再生から通常再生に再生状態が変化したときも、スムーズな再生状態の切換が可能な情報受信記録再生装置が得られる。
【図面の簡単な説明】
【図１】本発明の実施の形態１、及び実施の形態３による情報受信記録再生装置のブロック図
【図２】本発明の実施の形態１、及び実施の形態３による切換制御部の制御状態を示す図
【図３】本発明の実施の形態１による順方向高速再生時リアルタイム再生に追いついた時の処理を示すチャート図
【図４】本発明の実施の形態１による逆方向高速再生開始命令時の処理を示すチャート図
【図５】本発明の実施の形態１による順方向低速再生開始命令時の処理を示すチャート図
【図６】本発明の実施の形態２による情報受信記録再生装置のブロック図
【図７】本発明の実施の形態２による切換制御部の制御状態を示す図
【図８】本発明の実施の形態２による順方向高速再生時リアルタイム再生に追いついた時の処理を示すチャート図
【図９】本発明の実施の形態２による逆方向高速再生開始命令時の処理を示すチャート図
【図１０】本発明の実施の形態２による順方向低速再生開始命令時の処理を示すチャート図
【図１１】本発明の実施の形態３、実施の形態４、及び実施の形態５による記録制御部の抽出データを示す図
【図１２】本発明の実施の形態４による情報受信記録再生装置のブロック図
【図１３】本発明の実施の形態４による切換制御部の制御状態を示す図
【図１４】本発明の実施の形態５による情報受信記録再生装置のブロック図
【図１５】本発明の実施の形態５による切換制御部の制御状態を示す図
【図１６】本発明の実施の形態５による順方向高速再生時リアルタイム再生に追いついた時の処理を示すチャート図
【図１７】本発明の実施の形態５による逆方向高速再生開始命令時の処理を示すチャート図
【図１８】本発明の実施の形態５による順方向低速再生開始命令時の処理を示すチャート図
【図１９】
従来の情報受信記録再生装置を示す図
【符号の説明】
１０１、１２０１、１４０１、１９０１  ＡＤ変換部
１０２、１２０２、１４０２  符号化部
１０３、６０１、１２０３、１４０３  ディスク記録媒体部
１０４、６０２、１２０５、１４０４  記録制御部
１０５、６０３、１２０６、１４０５  半導体記録媒体部
１０６、６０４、１４０６  復号化データ切換部
１０７、６０５、１２０９、１４１１  切換制御部
１０８、６０６、１２０４、１４０７  復号化部
１０９、６０７、１２０８、１４０９、１９０７  ＤＡ変換部
１１０、６０８、１２１０、１４１０  ユーザーインターフェイス部
１１１、１２１１、１４１２  出力切換部
１２０７、１４０８  出力デジタルデータ切換部
２０１、７０１、１１０１、１３０１、１５０１  再生状態
２０２、７０２、１５０２  復号化データ切換制御
２０３、１３０３、１５０４  出力切換部制御
１３０２、１５０３  出力デジタルデータ切換部制御
１１０２  抽出する映像音声データ
１９０２、１９０６  フレームメモリ
１９０３  圧縮処理部
１９０４  記録装置
１９０５  伸長処理部
１９０８  切換部
１９０９  表示部
１９１０  制御部
【図１】
0003540706.tif 000002
【図２】
0003540706.tif 000003
【図３】
0003540706.tif 000004
【図４】
0003540706.tif 000005
【図５】
0003540706.tif 000006
【図６】
0003540706.tif 000007
【図７】
0003540706.tif 000008
【図８】
0003540706.tif 000009
【図９】
0003540706.tif 000010
【図１０】
0003540706.tif 000011
【図１１】
0003540706.tif 000012
【図１２】
0003540706.tif 000013
【図１３】
0003540706.tif 000014
【図１４】
0003540706.tif 000015
【図１５】
0003540706.tif 000016
【図１６】
0003540706.tif 000017
【図１７】
0003540706.tif 000018
【図１８】
0003540706.tif 000019
【図１９】
0003540706.tif 000020